(57)【要約】  【課題】肘掛けの取り付け作業を能率良くかつ行えるようにし、かつ、作業者の負担も軽減する。  【手段】肘掛け４は背もたれが取り付く傾動フレーム１０に固定されている。傾動フレーム１０にはブリッジ部材３０が溶接等によって固定されており、傾動フレーム１０とブリッジ部材３０とはサイドカバー３９で覆われている。他方、肘掛け４を構成する肘支柱３５には、サイドカバー３９を介して傾動フレーム１０とブリッジ部材３０とに重なる連結金具４０が固着されており、連結金具４０をねじ４１で傾動フレーム１０とブリッジ部材３０とに締結している。連結金具く４０にはブリッジ部材３０の上面に重なる係止片４３を設けており、このため、肘掛け４は一々作業者が手で掴んでいなくても姿勢が保持される。【選択図】      図１２
2005152157.tif 000002
【特許請求の範囲】
【請求項１】
肘掛けの基部を他の部材の肘固定部に重ね合わせてねじで締結するようになっている椅子であって、
前記肘掛けの基部と肘固定部とのうち何れか一方又は両方に、肘掛けの取り付けに際して当該肘掛けを締結後と同じ姿勢に保持する係合手段が設けられている、
椅子。
【請求項２】
前記肘掛けの基部は、上重合部と下重合部とを有する正面視で階段状の形態になっている一方、
背もたれが取付く後傾動自在な傾動フレームに、前記肘掛けの上重合部と下重合部とが下方から重なる肘固定部を設けており、前記肘掛けの上重合部に、前記係合手段として、肘固定部の上面に重なる係止片が形成されている、
請求項１に記載した椅子。
【請求項３】
前記肘固定部を覆うカバーを備えており、このカバーに肘掛けの基部が重なって両者が肘固定部に共締めされるようになっており、更に、前記カバーに、前記係止片が嵌まる切欠き部を形成している、
請求項２に記載した椅子。
【請求項４】
請求項１〜３に記載した肘掛け。
【発明の詳細な説明】
【技術分野】
【０００１】
本発明は、椅子及び肘掛けに関するものである。
【背景技術】
【０００２】
例えば事務用に多用される回転椅子においては、オプションによって肘掛けを取付けることができるようになっていることが多い。肘掛けの取り付け手段としては、座を支持する合成樹脂製のシェル部材に固定したり、脚の上端に固定された金属製の支基ベースに固定したりしていることが多い。
【０００３】
いずれにしても、シェル部材や支基ベースの肘固定部に肘掛けの基部（下端部）を下方から重ねて、３〜４本程度のねじ（ボルト、ビス）で締結しているものが殆どである。なお、肘固定部を支基ベースに設けている場合は、ねじがねじ込まれるねじ穴を支基ベースに直接に形成していることが多く、肘固定部がシェル部材にある場合は、シェル部材にナットを埋設したり、シェル部材に補強板を重ねてこれにタップ穴を形成したりしている。
【０００４】
他方、特許文献１及び特許文献２には、シェル部材に肘掛けの基部が横方向からすっぽり嵌る穴を形成し、支基ベースの基部を穴に嵌め入れた状態で固定することが開示されている。
【特許文献１】実開平６−８２９５４号公報
【特許文献２】特開平１０−１２７４１０号公報
【発明の開示】
【発明が解決しようとする課題】
【０００５】
肘掛けは一般にオプションで取り付けられるもので、椅子の本体部は肘掛け付きと肘掛け無しとで同じ構造になっていることが殆どである。そして、肘掛けの基部を肘固定部に重ね合わせる構成にすると、肘固定部はすっきりした形態にできるため、肘掛けを取り付けない状態で美観が悪化することはあまりないという利点がある。
【０００６】
しかし、肘掛けをねじ止めで取付けるにおいて、作業者は、一方の手で肘掛けを掴んで所定の姿勢に保持しつつ、他方の手でドライバーを操作してねじ込み操作せねばならず、最初のねじがねじ込まれるまで肘掛けを片手でずっと持ち上げ続けておかねばならないため、作業者の負担が重いという問題があった。
【０００７】
また、最初のねじをねじ込むにおいては、先ず、他方の手でドライバーを握って先端を上向きにしてその先端にねじの頭を嵌み、その状態を保持しつつ、一方の手で肘掛けを掴んでその基部を椅子の肘固定部に正確に重ね、それからねじを肘掛けの基部に形成された貫通穴に挿入してドライバーを操作するようにしているが、ねじがドライバーの先端から外れてねじ込みに失敗することが頻発しており、このため作業能率が悪いのみならず、作業者はねじが落ちないように気を付けながらの作業を強いられるため、負担が倍加するという問題があった。
【０００８】
また、椅子をひっくり返してテーブルに載せて肘掛けをねじ止めする方法もあるが、これでは作業者の負担が大きいのみならず、椅子をひっくり返してテーブルに載せたときに座面を汚したり傷つけたりする虞もあった。
【０００９】
他方、前記両特許文献によると、肘掛けの基部を肘固定部の穴に差し込むことによって肘掛けは姿勢が保持されるため、作業者の負担を軽減できると共に作業能率も向上することができる。しかし、肘固定部に横向き開口の大きな穴が空いているため、肘掛け無しの状態で販売すると美観が低下し、また、肘固定部の加工も厄介になるという問題がある。
【００１０】
本発明は、このような現状を改善することを課題とするものである。
【課題を解決するための手段】
【００１１】
請求項１の発明は、肘掛けの基部を他の部材の肘固定部に重ね合わせてねじで締結するようになっている椅子において、前記肘掛けの基部と肘固定部とのうち何れか一方又は両方に、肘掛けの取り付けに際して当該肘掛けを締結後と同じ姿勢に保持する係合手段が設けられている。
【００１２】
請求項２の発明では、請求項１において、前記肘掛けの基部は、上重合部と下重合部とを有する正面視で階段状の形態になっている一方、背もたれが取付く後傾動自在な傾動フレームに、前記肘掛けの上重合部と下重合部とが下方から重なる肘固定部を設けており、前記肘掛けの上重合部に、前記係合手段として、肘固定部の上面に重なる係止片が形成されている。
【００１３】
請求項３の発明では、請求項２において、前記肘固定部を覆うカバーを備えており、このカバーに肘掛けの基部が重なって両者が肘固定部に共締めされるようになっており、更に、前記カバーに、前記係止片が嵌まる切欠き部を形成している。
【００１４】
本願発明は、請求項４に記載したように肘掛けのみの構成も含んでいる。また、本願発明の椅子は、肘掛けを取り付けできるようになっておれば足り、必ずしも肘掛けを取り付けた状態で販売される必要はない。
【発明の奏する効果】
【００１５】
本願発明によると、肘掛けを肘固定部に重ねて締結するものでありながら、肘掛けは手で掴んでおかなくても所定の姿勢に保持されるため、肘掛けの取り付け作業に際して作業者の負担を軽減できると共に、ねじの落下をなくして取り付け作業の能率を向上することができる。
【００１６】
請求項２のように構成すると、肘掛けはロッキングに際して背もたれと一緒に傾動するため、ロッキングに際して腕が伸び勝手になることを無くして座り心地を向上できる。
【００１７】
また、請求項３のように構成すると、カバーを一々取り外すことなく肘掛けを取り付けることができるため作業が簡単であり、また、カバーを利用して肘掛けを所定姿勢に保持するものであるため、傾動フレームには特別の加工を施す必要がなくて、それだけ加工の手間を無くすことができる利点がある。更に、カバーはねじで傾動フレームに強固に固定されるため、カバーの取り付け強度が高い利点もある。
【発明を実施するための最良の形態】
【００１８】
次に、本発明の実施形態を図面に基づいて説明する。
【００１９】
(1).椅子の基本構造
図１〜図１２は第１実施形態を示しており、先ず、図１〜図５に基づいて椅子の基本構造を説明する。図１は椅子の側面図であり、この図に示すように、椅子は、キャスター付きの脚１と、座２と、背もたれ３と、肘掛け４とを備えている。脚１は伸長自在及び回転自在な脚支柱５を備えており、脚支柱５の上端には支基ベース６が固定されている。
【００２０】
座２は、アウターシェル７を介して座受け金具８に取り付けられており、座受け金具８の前端部は支基ベース６の前端部に第１軸９によって後傾動及び後退動自在に取り付けられている。
【００２１】
また、支基ベース６の後部寄り部位には傾動フレーム１０の前端部が第２軸１１によって後傾動可能に連結されており、傾動フレーム１０の後部には背支柱１２を設け、この背支柱１２に背もたれ３を取り付けている。背支柱１２と背もたれ３との間にはランバーサポート１４を高さ調節自在に配置している。
【００２２】
更に、傾動フレーム１０のうち第３軸１３よりも後方の部位と座受け金具８の後部とは第３軸１３によって相対回動可能に連結されている。このため、背もたれ３が後傾動するとこれに連動して座２も一緒に後傾しつつ後退する。
【００２３】
図２は支持機構を構成する主要部材の分離斜視図、図３（Ａ）は座部の縦断側面図、図４は図３（Ａ）のIV−IV視平面図、図５は傾動フレーム１０の分離斜視図である。
【００２４】
例えば図２から明らかなように、支基ベース６は左右側板６ａを備えた上向き開口の箱状に形成されており、その後部にインナーブラケット１５を固着し、インナーブラケット１５を介して脚支柱５の上端を固定している。支基ベース６における左右側板６ａの前部には、第１軸９を軸支するための切り開き穴１６が前向きに開口するように形成されている。
【００２５】
座受け金具８は、前後方向に延びる左右一対の縦部材１７と、左右縦部材１７の前部に固着された左右長手で丸パイプ製の第１軸９と、左右縦部材１７の後部に固着された左右長手で丸パイプ製の第３軸１３とから成るフレーム構造になっている。両軸９，１３は縦部材１７に溶接されている。
【００２６】
座受け金具８の縦部材１７には左右外側に広がるフランジ１７ａが形成されており、詳細は省略するが、このフランジ１７ａにアウターシェル７が前後動可能に取り付けられている。図３（Ａ）に示すように、座２は合成樹脂製の座板（インナーシェル）１８にクッション１９を張った構造になっている。
【００２７】
例えば図５に示すように、傾動フレーム１０は断面外向き開口コ字状に形成されていて左右に配置されている一方、背支柱１２は若干の間隔を隔てて左右に２本配置されており、両背支柱１２の下部を横向きに曲げてこれを傾動フレーム１０の内部に嵌め込んで溶接にて固着している。
【００２８】
左右の背支柱１２は下部金具１２ａ及び中間金具１２ｂで一体に固定されている。なお、左右の背支柱１２はその上部がアッパーフレーム（図示せず）に溶接されているので、中間金具１２ｂは必ずしも必要ない。第３軸１１は傾動フレーム１０の前端部に溶接によって固着されている。
【００２９】
なお、傾動フレーム１０と背支柱１２とは一体の構造にすることも可能である。また、傾動フレーム１０及び背支柱１２は左右に配置する必要はなく、１本の場合もある得る。また、背支柱１２を備えずに傾動フレーム１０に背もたれ３を直接的に取付けることも可能である。
【００３０】
前記インナーブラケット１５は、支基ベース６の底面と略直角を成す前壁１５ａを備えており、この前壁１５ａの手前側に可動式の後部ばね受け装置２１を配置し、ばね２２を後方から支持している。図示していないが、背支柱１２の下部金具１２ａと支基ベース６のインナーブラケット１５との間には、背もたれ３の後傾角度調節及び後傾ロック用のガスシリンダを配置している。
【００３１】
第１軸９のうち支基ベース６の内部の部位には、左右のフロントブッシュ２４とこれらに挟まれた前部ばね受け２５とが被嵌している。左右フロントブッシュ２４は合成樹脂製でそれぞれ上下２つのパーツに分離にしており、第１軸９はフロントブッシュ２４に前後動自在に嵌まっている。フロントブッシュ２４は上下分離方式にする必要はなく、図３（Ｂ）に示すように、後向き開口した形状に形成しても良い。
【００３２】
左右フロントブッシュ２４と前部ばね受け２５とは、側面視前向き開口コ字状で金属板製のフロント金具２６の内部にきっちり嵌まっており、かつ、フロント金具２６と左右フロントブッシュ２４とはねじ２５′で締結されている。第２軸１１は、センターブッシュ２８及びセンター金具２９を介して支基ベース６の下面にねじで締結されている。
【００３３】
第２軸１１は、左右傾動フレーム１０に架け渡すように配置されたブリッジ部材３０に、左右一対ずつの合成樹脂製リアブッシュ３１及びリア金具３２にて連結されている。ブリッジ部材３０は左右の傾動フレーム１０に溶接で固着されている。ブリッジ部材３０には左右張り出し部３０ａを設けている。
【００３４】
(2).肘支柱の固定
次に、肘掛け４の取り付け手段を説明する。図６は肘掛け４の斜視図であり、この図６に示すように、肘掛け４は丸パイプ製の肘支柱３５を備えており、肘支柱３５に昇降体３６を高さ調節自在に取り付け、この昇降体３６に肘当て３７を水平旋回自在に取り付けている。昇降体３６はロック解除用のレバー３８を備えており、昇降体３６を手で握ってレバー３８を引くことにより、ロックが解除される。なお、肘当て３７は可動式には限らず、固定式であっても良いことは言うまでもない。
【００３５】
肘支柱３５は、前記ブリッジ部材３０の張り出し部３０ａに固定されている。この点を図７〜図１２を参照して説明する。図７のうち（Ａ）は椅子の後部の背面図、（Ｂ）は（Ａ）の右側面図、図１０は肘掛け４を取り付けた状態での平断面図、図９は側面図、図１０は図８のX-X 視断面図、図１１は図８のXI−XI視断面図、図１２は肘掛けの取り付け手順を示す断面図である。
【００３６】
肘支柱３５の下部は水平状部３５ａになっており、この水平状部３５ａの先端に、肘掛け４の基部（取り付け部）を構成する金属板製の連結金具４０が溶接にて固着されている。連結金具４０は、上重合部４０ａと下重合部４０ｂとこれらを繋ぐ縦長部とを備えて正面視階段状に形成されている。肘支柱３５の水平状部３５ａはその端面を連結金具４０の縦長部に突き合わせており、端面と上部とを連結金具４０に溶接している。このように水平状部３５ａが端面と上部とに連結金具４０に溶接されているため、互いの取り付け強度を格段に向上することができる。
【００３７】
傾動フレーム１０と張り出し部３０ａとには、これらを覆うため左右外側からの嵌め込みにてサイドカバー３９が嵌合しており、連結金具４０はサイドカバー３９に下方から重なっている。かつ、下方からねじ込まれた３本のねじ４１で連結金具４０とサイドカバー３９とが傾動フレーム１０及びブリッジ部材３０に固定されている。ブリッジ部材３０及び傾動フレーム１０にはねじ４１がねじ込まれる雌ねじ部４２をバーリング加工によって形成している。勿論、ナットを溶接するなどしても良い。
【００３８】
連結金具４０の上面には、係合手段の一例として、ブリッジ部材３０の張り出し部３０ａに重なる係止片４３を折曲げ（溶接でもよい）によって設ける一方、サイドカバー３９のうちブリッジ部材３０を覆う部分３９ｂには、係止片４３が嵌まり込む切欠き部（逃がし穴）４４を形成している。
【００３９】
このため、図１２（Ａ）に示すように、係止片４３を切欠き部４４の箇所でブリッジ部材３０に重ねることにより、肘掛け４は一々手でも掴んでいなくても所定の取り付け姿勢に保持される。このため、作業者は両手が自由になり、その結果を、肘掛けの取り付け作業を能率良く行うことができる。なお、係止片４３は必ずしもブリッジ部材３０の上面に重ねる必要はなく、サイドカバー３９に係止片４３が嵌まる係合穴を形成することも可能である。
【００４０】
例えば図７，１０に示すように、サイドカバー３９の側面には、連結金具４０を前後から覆うようにサイドリブ３９ａを設けている。このため、肘掛け４の前後位置を正確に位置決めすることができて好適である。
【００４１】
また、本実施形態のようにブリッジ部材３０も利用して肘支柱３５を固定すると、連結金具４０の上下高さを高くして締結強度を向上できる利点がある。つまり、連結金具４０における上下長さが長くなるため、着座した人が肘掛けに力を欠けた場合に連結金具４０に作用するモーメントを小さくすることができ、それだけ締結強度が高くなるのである。
【００４２】
図７や図８に示すように、ブリッジ部材３０の後方にはリアカバー４５が配置されている。リアカバー４５は、傾動フレーム１０のうちサイドカバー３９よりも後方の部分を覆うと共に、左右の傾動フレーム１０で囲われた空間も覆っている。
【００４３】
(3).第２〜第４実施形態（図13〜図15）
図１３に示すのは第２実施形態であり、この実施形態では、連結金具４０をアルミ等のダイキャスト品としてブロック状に形成しており、これに形成したボス部４０ｃに肘支柱３０の水平状部（基端部）３５ａを嵌め込んで、図示しないねじで固定している。この場合、肘支柱は小判形のような非円形の断面形状にするのが好ましい。
【００４４】
図１４に示す第３実施形態では、傾動フレーム等の肘固定部５０に係合手段の一例としての外向き突部５１を形成する一方、連結金具４０の上端には、係合手段の一例として、外向き突部５１に対する抱持部５２を折曲げ形成している。
【００４５】
図１５に示すのは第３実施形態の変形例である第４実施形態であり、外向き突部５１と抱持部５２とをそれぞれテーパ状に形成することにより、嵌め込みの容易化を図っている。
【００４６】
(4).第５〜第７実施形態（図16〜18）
図１６〜図１８では更に他の実施形態を示している。このうち図１６に示す第５実施形態では、第１実施形態と同様の傾動フレーム１０とブリッジ部材３０とを備えている椅子において、連結金具４０の下重合部４０ｂが傾動フレーム１０における下片１０ａの上面に重なるように形成し、かつ、連結金具４０に、傾動フレーム１０における上片１０ｂの下面に重なる係止片４３を成形している。
【００４７】
図１７に示す第６実施形態では、連結金具４０を正面視コ字状に形成して、この連結金具４０を傾動フレーム１０に被嵌している。この実施形態では、連結金具４０の全体形状が係合手段を構成することになる。また、傾動フレーム１０のみで肘固定部が構成されている。
【００４８】
図１８に示す第７実施形態では、座板１８を合成樹脂製のアウターシェル４７で支持し、アウターシェル４７に連結金具４０を下方から重ねてねじ４１で締結するにおいて、連結金具４０に上下一対の係止片４３を形成する一方、アウターシェル４７には係止片４３が嵌まる横向き開口の係合穴４８を形成している。この場合は、係止片４３と係合穴４８とが係合手段を構成している。そして、係合穴４３は小さくてよいため、美観が悪化することは殆どない。
【００４９】
(5).昇降式肘掛け装置の好適な形態
次に、昇降式肘掛け装置の好適な形態を図１９〜図２３に基づいて説明する。図１９のうち（Ａ）は昇降体３６の箇所の縦断側面図、（Ｂ）は（Ａ）のＢ−Ｂ視平断面図、（Ｃ）は（Ａ）のＣ−Ｃ視平断面図、（Ｄ）は（Ａ）のＤ−Ｄ視平断面図、図２０は肘当て部の分離斜視図、図２１は昇降体３６とレバー３８との斜視図で（Ａ）はレバー３８の操作前の状態、（Ｂ）はレバー３８を引いた状態の図、図２２は昇降体３６とレバー３８のみ関係を示す側面図で、（Ａ）はレバー３８の操作前の状態、（Ｂ）はレバー３８を引いた状態の図、図２３は昇降体３６とレバー３８との関係を示す側断面図で、（Ａ）はレバー３８の操作前の状態、（Ｂ）はレバー３８を引いた状態の図である。
【００５０】
図１９に示すように、肘支柱３５の内部には二か割り式のインナー部材５０が上下不能に嵌め込まれており、インナー部材５０に係合穴５１が多段に形成されている。
【００５１】
一方、昇降体３６は肘支柱３５に外側から嵌まるようになっており、その内部にはインナー部材５０に内側から嵌まるガイド筒５２を固定しており、このガイド筒５２に、インナー部材５０の係合穴５１に係脱する爪体５３を回動自在に取り付けている。爪体５３はガイド筒５２の上部まで延びている。
【００５２】
また、昇降体３６は前向きに大きく開口しており、この前面を上下に長く延びるレバー３８で塞ぐような状態になっている。レバー３８はその下端より部位のピン部５４を中心にして回動するように昇降体３６に装着されており、人が昇降体３６を握るようにしてレバー３８を引くと、前記爪体５３が連動体５５を介して傾動し、ロックが解除される。レバー３８はばねで５６で前向きに付勢されている。
【００５３】
図１９に示すように、昇降体３６の上端部には前向き張り出し部３６ａを形成している一方、レバー３８の上端には、昇降体３６の前向き張り出し部３６ａの内面に当接するストッパー部３８ａを形成している。このため、通常状態でレバー３８の前面と昇降体３６の前面とが同一面状に保持されて美観に優れており、また、レバー３８の前向き回動が阻止されるため、レバー３８の縁部と昇降体３６の縁部との間（特に上端部間）で隙間ができることを防止でき、このため人が指や手のひらの肉（皮）を挟むことを防止できる。
【００５４】
また、レバー３８の左右両側部は昇降体３６に形成した段部３６ｂに嵌まっているが、レバー３８の縁の外面を面取り状に形成されており、このため、人がレバー３８を操作するに際して手の肉（皮）を挟むことを回避できて安全性が高い。
【００５５】
図２０に示すように、肘掛け部は、肘当て３７とその下面に固定された下カバー５８を備えており、両者で囲われて内部に、下から順に、固定式軸受け５９、ブッシュ６０、下金具６１、ギア部材６２、板ばね６３、ワッシャー６４、ビス６５、上金具６６が配置されている。また、下金具６１の内部には、ギア状部材６２に係脱するばね部材６６を装着している。肘当て３７は基板３７ａにクッション体３７ｂを一体成形した構造になっている（勿論、他の構造でも良い）。
【００５６】
図１９に示すように、昇降体３６の上端には受け板６８が固定されており、ギア部材６２及び固定式軸受け５９は受け板６８に回転不能に固定されている。また、下金具６１は回転のみ自在となるようにギア状部材６２及びビス６５で押さえ保持されている。上金具６６は下金具６１にスライド自在に装着されている。上金具６６と下金具６１の摺動部には合成樹脂製のスライダー６９を介在させている。
【００５７】
肘当て３７はその長手方向にスライド自在でかつ水平旋回自在となっている。また，ギア状部材６２にばね部材６７が係脱することにより、水平旋回するに際して一定角度で姿勢が保持され、かちかちとクリック感じを与える。
【００５８】
ところで、従来の昇降式肘掛け装置では小さいボタンでロックを解除するようにしており、このため指に強い圧力が掛かって操作しにくいという問題があった。また、いちいちボタンの位置を確認しなければならないことも操作性が悪い一員となっていた。
【００５９】
これに対して本実施形態のようにレバー３８を上下に長い形状にすると、人の指に対する負担はなく、また、昇降体３６を握るだけでレバー３８を操作できるため操作性に優れている（なお、レバー３８の上下長さは、一般成人の拳からはみ出る程度の寸法があれば足り、具体的に１０ｃｍ程度以上が好適であると言える）。
【００６０】
そして、本実施形態のようにレバー３８の縁を面取り状に形成すると、昇降体３６とレバー３８とを握ったときに手の肉を挟むことを防止できて好適である。また、肘当て３７を旋回させたり前後動させたりするに際して、稀には指をレバー３８の上端部まで延ばすことがあり得るが、このような場合でも、昇降体３６の上端に張り出し部を設けているため、指をレバー３８と昇降体３６との間の隙間に挟むようなことはなく、万全の安全体制を保持できる。
【００６１】
なお、肘当て３７は必ずしも可動式である必要はなく、昇降体３６に固定的に設けても良い。また、可動方式とする場合は、水平旋回、前後スライド、左右スライド、上下首振りのような動きを任意に組合せることができる。
【００６２】
(6).その他
本願発明は上記の実施形態の他にも様々に具体化することができる。例えば係合手段は図示したような形態には限らず、様々の形態を採用することができる。また、肘掛けの形態も自由に設定することができ、例えば可動式でない場合は、全体を樹脂等にて一体構造にしても良いのであり、この場合は実施形態のような連結金具は特に必要はなく、係合手段を一体成形しても良い。
【図面の簡単な説明】
【００６３】
【図１】第１実施形態に係る椅子の側面図である。
【図２】支持機構を構成する主要部材の分離斜視図である。
【図３】（Ａ）は座部の縦断側面図、（Ｂ）はフロントブッシュの別例図である。
【図４】図３のIV−IV視平面図である。
【図５】傾動フレーム１０の分離斜視図である。
【図６】肘掛けの斜視図である。
【図７】傾動フレームとサイドカバーとの分離平面図である。
【図８】肘掛けを取り付けた状態での平断面図である。
【図９】要部の側面図である。
【図１０】図８のX-X 視断面図である。
【図１１】図８のXI−XI視断面図である。
【図１２】図１２は肘掛けの取り付け手順を示す断面図である。
【図１３】第２実施形態を示す図である。
【図１４】第３実施形態を示す図である。
【図１５】第４実施形態を示す図である。
【図１６】第５実施形態を示す図である。
【図１７】第６実施形態を示す図である。
【図１８】第７実施形態を示す図である。
【図１９】（Ａ）は肘掛け装置における昇降体３６の箇所の縦断側面図、（Ｂ）は（Ａ）のＢ−Ｂ視平断面図、（Ｃ）は（Ａ）のＣ−Ｃ視平断面図、（Ｄ）は（Ａ）のＤ−Ｄ視平断面図である。
【図２０】肘当て部の分離斜視図である。
【図２１】昇降体とレバーとを組合せた状態の斜視図でである。
【図２２】昇降体とレバーのみ関係を示す側面図である。
【図２３】昇降体とレバーとの関係を示す側断面図である。
【符号の説明】
【００６４】
２  座体
３  背もたれ
４  肘掛け
１０  傾動フレーム
３５  肘支柱
３７  肘当て
３９  サイドカバー
４０  肘掛けの基部を構成する連結金具
４１  締結用のねじ
４３  係合部を構成する係止片
４４  切欠き部
【図１】
2005152157.tif 000003
【図２】
2005152157.tif 000004
【図３】
2005152157.tif 000005
【図４】
2005152157.tif 000006
【図５】
2005152157.tif 000007
【図６】
2005152157.tif 000008
【図７】
2005152157.tif 000009
【図８】
2005152157.tif 000010
【図９】
2005152157.tif 000011
【図１０】
2005152157.tif 000012
【図１１】
2005152157.tif 000013
【図１２】
2005152157.tif 000014
【図１３】
2005152157.tif 000015
【図１４】
2005152157.tif 000016
【図１５】
2005152157.tif 000017
【図１６】
2005152157.tif 000018
【図１７】
2005152157.tif 000019
【図１８】
2005152157.tif 000020
【図１９】
2005152157.tif 000021
【図２０】
2005152157.tif 000022
【図２１】
2005152157.tif 000023
【図２２】
2005152157.tif 000024
【図２３】
2005152157.tif 000025